(57)【要約】【課題】動作モードの設定を行うことなく、他の通信装置と設定を送受信することを可能とする。【解決手段】  自身に帰属する第一の通信装置との間で、第一の通信に関する設定情報を記憶する設定情報記憶部の前記設定情報に従って前記第一の通信を行い、前記第一の通信装置へ前記設定情報を送信する。また、自身に帰属する第一の通信装置との間で、第一の通信に関する設定情報を記憶する設定情報記憶部の前記設定情報に従って前記第一の通信を行い、自身が帰属する第二の通信装置との間で第二の通信を行い、前記第二の通信装置から前記設定情報を受信したとき、前記設定情報記憶部に前記設定情報を記憶させる。【選択図】      図１
2017143402.tif 000002
【特許請求の範囲】
【請求項１】
第一の通信に関する設定情報を記憶する設定情報記憶部と、
自身に帰属する第一の通信装置との間で前記設定情報に従って前記第一の通信を行う第一の通信部と、
前記第一の通信装置へ前記設定情報を送信する設定情報送信部と
を備えることを特徴とする無線通信親機。
【請求項２】
前記設定情報は、前記第一の通信を許可する通信装置の識別情報を示す接続許否情報を含む
ことを特徴とする請求項１に記載の無線通信親機。
【請求項３】
前記設定情報送信部は、管理フレームに前記設定情報を含めて送信する
ことを特徴とする請求項１あるいは請求項２に記載の無線通信親機。
【請求項４】
第一の通信に関する設定情報を記憶する設定情報記憶部と、
自身に帰属する第一の通信装置との間で前記設定情報に従って前記第一の通信を行う第一の通信部と、
自身が帰属する第二の通信装置との間で第二の通信を行う第二の通信部と、
前記第二の通信装置から前記設定情報を受信したとき、前記設定情報記憶部に前記設定情報を記憶させる設定情報受信部と
を備えることを特徴とする無線中継装置。
【請求項５】
前記設定情報は、前記第一の通信を許可する通信装置の識別情報を示す接続許否情報を含む
ことを特徴とする請求項４に記載の無線中継装置。
【請求項６】
前記第一の通信装置へ前記設定情報を送信する設定情報送信部
を備えることを特徴とする請求項４あるいは請求項５に記載の無線中継装置。
【請求項７】
請求項１から請求項３のいずれかに記載の無線通信親機と、
前記無線通信親機に帰属する前記第一の通信装置と
を備え、
前記第一の通信装置は請求項４から請求項６のいずれかに記載の無線中継装置である
ことを特徴とする無線通信システム。
【請求項８】
請求項６に記載の無線中継装置と、
前記無線中継装置に帰属する前記第一の通信装置と、
前記無線中継装置が帰属する前記第二の通信装置と
を備え、
前記第一の通信装置は、請求項４から請求項６のいずれかに記載の無線中継装置であり、
前記第二の通信装置は、請求項１から請求項３のいずれかに記載の無線通信親機、あるいは、請求項６に記載の無線中継装置である
ことを特徴とする無線通信システム。
【請求項９】
自身に帰属する第一の通信装置との間で、第一の通信に関する設定情報を記憶する設定情報記憶部の前記設定情報に従って前記第一の通信を行い、
前記第一の通信装置へ前記設定情報を送信する
ことを特徴とする無線通信方法。
【請求項１０】
自身に帰属する第一の通信装置との間で、第一の通信に関する設定情報を記憶する設定情報記憶部の前記設定情報に従って前記第一の通信を行い、
自身が帰属する第二の通信装置との間で第二の通信を行い、
前記第二の通信装置から前記設定情報を受信したとき、前記設定情報記憶部に前記設定情報を記憶させる
ことを特徴とする無線中継方法。
【発明の詳細な説明】
【技術分野】
【０００１】
本発明は、設定情報を他の通信装置へ送信する、無線通信親機、無線通信システム、無線中継装置、方法およびプログラムに関する。
【背景技術】
【０００２】
無線ＬＡＮ（Local Area Network）親機に特定の無線子機のみを接続可能にする方法として、ＭＡＣ（Media Access Control）アドレスフィルタリングが多く利用されている。ＭＡＣアドレスフィルタリングでは、無線ＬＡＮ親機との接続を許可する無線子機あるいは接続を拒否する無線子機のＭＡＣアドレスを無線ＬＡＮ親機に登録する。そして、無線ＬＡＮ親機は、接続が許可されている無線子機のみを自身に接続する。
【０００３】
一方、無線子機は、直接無線ＬＡＮ親機と接続する場合もあれば、無線ＬＡＮ中継機を介して無線ＬＡＮ親機に接続する場合もある。
【０００４】
なお、上述の無線ＬＡＮ中継機は、無線ＬＡＮ親機と無線で接続し、無線子機と無線で接続する無線ＬＡＮ機器である。また、無線ＬＡＮ子機は、無線ＬＡＮ親機と無線で接続し、有線ＬＡＮでＰＣ（Personal Computer）やテレビ等と接続する装置である。以降、上述の無線ＬＡＮ中継機あるいは無線ＬＡＮ子機のいずれも「無線中継機」と呼ぶものとする。また、無線中継機に接続する無線子機と無線ＬＡＮ子機に接続するＰＣやテレビ等のいずれも「子機」と呼ぶものとする。
【０００５】
子機と無線ＬＡＮ親機が直接接続する場合には、無線ＬＡＮ親機は、ＭＡＣアドレスフィルタリングにより、接続を許可していない子機の接続を拒否することができる。しかし、無線中継機は無線ＬＡＮ親機に設定されている接続許可リストあるいは接続拒否リストを知らない。そのため、無線ＬＡＮ親機が接続を許可していない子機が無線中継機に接続を要求した場合でも、無線中継機は子機の接続を許可し、子機が送信するデータを無線ＬＡＮ親機に転送する。そして、接続が許可されていない子機のデータは、無線ＬＡＮ親機で破棄される。そのため、無線ＬＡＮ親機が接続を許可していない子機が無線中継機に接続できてしまうことにより、無線通信ネットワークにおいて不要なデータ通信が発生するとともに、安全性が低下してしまう。
【０００６】
たとえば、図１８のように無線通信ネットワークを構成したとする。図１８では、無線ＬＡＮ親機８１に接続する無線中継機８２Ａおよび８２Ｂがあり、子機４０Ａが無線中継機８２Ａ、子機４０Ｂが無線中継機８２Ｂに接続を試みている。無線ＬＡＮ親機８１にて子機４０Ａの接続を拒否する設定を行った場合、子機４０Ａは無線ＬＡＮ親機８１には直接接続できない。しかし、子機４０Ａは無線中継機８２Ａに接続できてしまうため、無線ＬＡＮ親機８１で破棄されるまで、不要データの転送が発生してしまう。
【０００７】
図１９に図１８の無線通信ネットワークでの各子機および各無線中継機のデータ送信時間の関係の例を示す。子機４０Ａから無線中継機８２Ａ、無線中継機８２Ａから無線ＬＡＮ親機８１、子機４０Ｂから無線中継機８２Ｂ、無線中継機８２Ｂから無線ＬＡＮ親機８１への送信データが発生している。このうち、子機４０Ａから無線中継機８２Ａ、無線中継機８２Ａから無線ＬＡＮ親機８１の送信データは、最終的に無線ＬＡＮ親機８１で破棄されるデータである。このように、最終的に破棄されるデータの送信に無線帯域が占有される時間が発生する。そのため、送信データ量が多くなると、同じ無線通信ネットワークに接続している子機４０Ｂや無線中継機８２Ｂのデータ送信が阻害される可能性がある。
【０００８】
これに対し、特許文献１に記載の方法では、ＷＰＳ（Wi-Fi Protected Setup）（登録商標）を用いてゲートウェイから設定を受け取った通信装置がマスターとなり、他の通信装置へ設定を転送する。これにより、通信装置間で設定を共有することが可能になる。
【先行技術文献】
【特許文献】
【０００９】
【特許文献１】特開２０１３−０４６２９０号公報
【発明の概要】
【発明が解決しようとする課題】
【００１０】
しかし、特許文献１に記載の方法では、通信装置のそれぞれに対してマスターであるかスレーブであるかの動作モードの設定を行う必要がある。たとえば、特許文献１に記載の方法では、ゲートウェイから設定を受け取った通信装置がマスターとなり、他がスレーブとなっている。しかし、この方法では、マスターとなった通信装置に接続していない通信装置は、設定を受け取ることができない。
【００１１】
本発明の目的は、動作モードの設定を行うことなく、他の通信装置と設定を送受信することを可能とする、無線通信親機、無線通信システム、無線中継装置、方法およびプログラムを提供することにある。
【課題を解決するための手段】
【００１２】
上述の問題を解決するために、本発明の無線通信親機は、第一の通信に関する設定情報を記憶する設定情報記憶部と、自身に帰属する第一の通信装置との間で前記設定情報に従って前記第一の通信を行う第一の通信部と、前記第一の通信装置へ前記設定情報を送信する設定情報送信部とを備えることを特徴とする。
【００１３】
また、本発明の無線中継装置は、第一の通信に関する設定情報を記憶する設定情報記憶部と、自身に帰属する第一の通信装置との間で前記設定情報に従って前記第一の通信を行う第一の通信部と、自身が帰属する第二の通信装置との間で第二の通信を行う第二の通信部と、前記第二の通信装置から前記設定情報を受信したとき、前記設定情報記憶部に前記設定情報を記憶させる設定情報受信部とを備えることを特徴とする。
【００１４】
また、本発明の無線通信方法は、自身に帰属する第一の通信装置との間で、第一の通信に関する設定情報を記憶する設定情報記憶部の前記設定情報に従って前記第一の通信を行い、前記第一の通信装置へ前記設定情報を送信することを特徴とする。
【００１５】
また、本発明の無線中継方法は、自身に帰属する第一の通信装置との間で、第一の通信に関する設定情報を記憶する設定情報記憶部の前記設定情報に従って前記第一の通信を行い、自身が帰属する第二の通信装置との間で第二の通信を行い、前記第二の通信装置から前記設定情報を受信したとき、前記設定情報記憶部に前記設定情報を記憶させることを特徴とする。
【発明の効果】
【００１６】
本発明の無線通信親機、無線通信システム、無線中継装置、方法およびプログラムにより、動作モードの設定を行うことなく、他の通信装置と設定を送受信することが可能になる。
【図面の簡単な説明】
【００１７】
【図１】本発明の第一および第二の実施形態の無線通信親機および無線中継装置の構成例を示す図である。
【図２】本発明の第一の実施形態の無線通信親機の動作例を示す図である。
【図３】本発明の第一の実施形態の無線中継装置の動作例を示す図である。
【図４】本発明の第二の実施形態の無線通信ネットワークの構成例を示す図である。
【図５】本発明の第二の実施形態の無線中継装置の送信信号の送信時間の関係を示す図である。
【図６】本発明の第二の実施形態の管理フレームの例を示す図である。
【図７】本発明の第二の実施形態の無線通信親機の動作例を示す図である。
【図８】本発明の第二の実施形態の無線中継装置の動作例を示す図である。
【図９】本発明の第二の実施形態の無線通信親機の送受信シーケンスの例を示す図である。
【図１０】本発明の第二の実施形態の無線通信親機の送受信シーケンスの例を示す図である。
【図１１】本発明の第二の実施形態の無線通信親機の送受信シーケンスの例を示す図である。
【図１２】本発明の第二の実施形態の無線通信親機の送受信シーケンスの例を示す図である。
【図１３】本発明の第三の実施形態の無線通信ネットワークの構成例を示す図である。
【図１４】本発明の第三の実施形態の無線中継装置の構成例を示す図である。
【図１５】本発明の第四の実施形態の無線通信親機の構成例を示す図である。
【図１６】本発明の第五の実施形態の無線中継装置の構成例を示す図である。
【図１７】本発明の各実施形態の無線通信親機あるいは無線中継装置のハードウェア構成例を示す図である。
【図１８】無線ＬＡＮ親機から無線中継機へ設定情報を送信できない場合の構成例を示す図である。
【図１９】無線ＬＡＮ親機から無線中継機へ設定情報を送信できない場合の送信信号の送信時間を示す図である。
【発明を実施するための形態】
【００１８】
［第一の実施形態］
本発明の第一の実施の形態について説明する。
【００１９】
図１に本実施形態の無線通信親機１０および無線中継装置２０の構成例を示す。
【００２０】
無線通信親機１０は、第一の通信部１１、設定情報記憶部１２および設定情報送信部１３により構成される。
【００２１】
設定情報記憶部１２は、第一の通信に関する設定情報を記憶する部分である。第一の通信部１１は、自身に帰属する第一の通信装置（無線中継装置２０）との間で設定情報に従って第一の通信を行う部分である。設定情報送信部１３は、第一の通信装置へ設定情報を送信する部分である。
【００２２】
また、無線中継装置２０は、第一の通信部２１、設定情報記憶部２２、第二の通信部２４および設定情報受信部２５により構成される。
【００２３】
設定情報記憶部２２は、第一の通信に関する設定情報を記憶する部分である。第一の通信部２１は、自身に帰属する第一の通信装置との間で設定情報に従って第一の通信を行う部分である。第二の通信部２４は、自身が帰属する第二の通信装置（無線通信親機１０）との間で第二の通信を行う部分である。設定情報受信部２５は、第二の通信装置から設定情報を受信したとき、設定情報記憶部２２に設定情報を記憶させる部分である。
【００２４】
このように無線通信親機１０および無線中継装置２０を構成することによって、無線通信親機１０は自身に帰属する無線中継装置２０へ設定情報を送信し、無線中継装置２０は自身が帰属する無線通信親機１０から設定情報を受信する。すなわち、無線通信親機１０および無線中継装置２０は、どちらがマスターとなるかの動作モードの設定をすることなく、帰属関係に応じて設定情報を送受信する。そのため、動作モードの設定を行うことなく、他の通信装置と設定を送受信することが可能となる。
【００２５】
また、接続を許可する子機あるいは／および接続を拒否する子機の識別情報である接続許否情報を設定情報に含めることで、無線中継装置２０は無線通信親機１０と同様のＭＡＣアドレスフィルタリングを行うことが可能になる。そのため、無線通信親機１０が接続を許可していない子機は無線中継装置２０に接続できなくなり、無線帯域の効率的な使用と無線通信ネットワークの安全性の向上が可能になる。
【００２６】
次に、図２に本実施形態の無線通信親機１０の、図３に本実施形態の無線中継装置２０の動作の例を示す。
【００２７】
無線通信親機１０は、自身に帰属する第一の通信装置（無線中継装置２０）へ設定情報を送信する（ステップＳ１０１）。
【００２８】
また、無線中継装置２０は、自身が帰属する第二の通信装置（無線通信親機１０）から設定情報を受信したとき（ステップＳ１０２）、設定情報を設定情報記憶部２２に記憶させる（ステップＳ１０３）。
【００２９】
このように無線通信親機１０および無線中継装置２０を動作させることによって、無線通信親機１０は自身に帰属する無線中継装置２０へ設定情報を送信し、無線中継装置２０は自身が帰属する無線通信親機１０から設定情報を受信する。そのため、動作モードの設定を行うことなく、他の通信装置と設定を送受信することが可能となる。
【００３０】
以上で説明したように、本発明の第一の実施形態では、無線通信親機１０は自身に帰属する無線中継装置２０へ設定情報を送信し、無線中継装置２０は自身が帰属する無線通信親機１０から設定情報を受信する。すなわち、無線通信親機１０および無線中継装置２０は、どちらがマスターとなるかの動作モードの設定をすることなく、帰属関係に応じて設定情報を送受信する。そのため、動作モードの設定を行うことなく、他の通信装置と設定を送受信することが可能となる。
【００３１】
また、接続を許可する子機あるいは／および接続を拒否する子機の識別情報である接続許否情報を設定情報に含めることで、無線中継装置２０は無線通信親機１０と同様のＭＡＣアドレスフィルタリングを行うことが可能になる。そのため、無線通信親機１０が接続を許可していない子機は無線中継装置２０に接続できなくなり、無線帯域の効率的な使用と無線通信ネットワークの安全性の向上が可能になる。
【００３２】
［第二の実施形態］
次に、本発明の第二の実施の形態について説明する。本実施形態では、第一の実施形態の無線通信親機１０および無線中継装置２０について、さらに具体的に説明する。
【００３３】
図４に本実施形態の無線通信ネットワークの構成例を示す。無線通信親機１０はゲートウェイ５０を経由してインターネット６０と接続する。無線中継装置２０Ａおよび無線中継装置２０Ｂは無線通信親機１０に帰属する無線中継装置２０である。子機４０Ａおよび子機４０Ｂは、それぞれ、無線中継装置２０Ａ、無線中継装置２０Ｂへの接続を試みる子機４０である。
【００３４】
本実施形態の無線通信親機１０と無線中継装置２０（２０Ａ、２０Ｂ）の構成例は、図１と同様である。本実施形態では、無線通信親機１０は、無線通信親機１０に帰属する無線中継装置２０Ａおよび無線中継装置２０Ｂへ設定情報を送信する。そして、無線中継装置２０Ａおよび無線中継装置２０Ｂは、受信した設定情報を設定情報記憶部２２に記憶させる。
【００３５】
設定情報が接続許否情報を含む場合、無線中継装置２０Ａおよび無線中継装置２０Ｂの設定情報記憶部２２は、無線通信親機１０と同じ接続許否情報を記憶することになる。たとえば、接続を許可する子機４０の情報として子機４０Ｂの識別情報が設定情報記憶部２２に記憶されているとする。このとき、子機４０Ａが接続を要求すると、無線中継装置２０Ａは、設定情報記憶部２２の設定情報を確認し、接続を許可する子機４０の情報に子機４０Ａの識別情報がないため、子機４０Ａの接続を拒否する。また、子機４０Ｂが接続を要求すると、無線中継装置２０Ｂは、設定情報記憶部２２の設定情報を確認し、接続を許可する子機４０の情報に子機４０Ｂの識別情報があるため、子機４０Ｂの接続を許可する。
【００３６】
図５に、図４の場合の各子機および各無線中継装置が送信する送信信号の送信時間を示す。子機４０Ａから無線中継装置２０Ａへ、子機４０Ｂから無線中継装置２０Ｂへ、および、無線中継装置２０Ｂから無線通信親機１０へ送信信号が発生している。しかし、子機４０Ａから無線中継装置２０Ａへ通信データを送信しても、無線中継装置２０Ａは子機４０Ａの接続を拒否するため、無線中継装置２０Ａから無線通信親機１０への送信信号は発生しない。このように、子機４０Ａの通信データは無線通信親機１０ではなく無線中継装置２０Ａで破棄され、接続が許可されている子機４０Ｂの通信データのみが無線通信親機１０へ送信されることになる。そのため、無線帯域の効率的な使用と無線通信ネットワークの安全性の向上が可能になる。
【００３７】
次に、接続情報の送受信の方法について説明する。接続情報の送受信には任意の方法を使用可能であるが、本実施形態では、設定情報の送受信に独自エレメントを付与した管理フレームを使用する。
【００３８】
図６は、本実施形態の管理フレームのＭＡＣフレームおよび独自エレメントを示す図である。管理フレームのＭＡＣフレームは、ＭＡＣヘッダ、フレーム本体およびＦＣＳ（Frame Check Sequence）により構成される。フレーム本体のVendor Specific Information Element領域は、ベンダー独自の情報を記載する場合に配置可能な領域である。Vendor Specific Information Elementは、Element ID、Length、Organization IdentifierおよびVendor-specific Contentにより構成され、このVendor-specific Content領域がベンダー独自の情報を記載可能な領域である。本実施形態では、管理フレームのVendor-specific Content領域に設定情報の送受信に必要な情報を記載する。
【００３９】
たとえば、設定情報送信時には、情報共有許可ＩＤ（identification）および設定情報を、設定情報記憶部２２の情報の更新が完了したときは、情報共有許可ＩＤと更新完了情報を、接続処理時には情報共有許可ＩＤをこの領域に記載する。これらの情報を、本実施形態では独自エレメントと呼ぶ。
【００４０】
情報共有許可ＩＤは、独自エレメントが付与されていることを示すＩＤで、すべての装置間で共通の固定値とする。受信側では、Vendor-specific Contentに情報共有許可ＩＤが含まれているとき、独自エレメントが付与されていると判断する。
【００４１】
設定情報は、無線通信親機１０から無線中継装置２０へ送信する設定情報である。たとえば、接続許否情報として、接続を許可あるいは／および拒否する子機の識別情報（ＭＡＣアドレス等）を記載する。
【００４２】
更新完了情報は、無線中継装置２０が設定情報記憶部２２の設定情報を更新したことを示す情報であり、すべての装置間で共通の固定値とする。無線通信親機１０はVendor-specific Contentに更新完了情報が含まれているとき、無線中継装置２０の設定情報更新が完了したと判断する。
【００４３】
接続処理時には、無線通信親機１０の第一の通信部１１は、まず、接続処理時の独自エレメントを付与したBeacon信号を送信する。そして、このBeacon信号を検出した無線中継装置２０の第二の通信部２４は、接続処理時の独自エレメントを付与した応答信号を無線通信親機１０へ送信する。以降、無線通信親機１０と無線中継装置２０との間で独自エレメントを付与した管理フレームを送受信し、接続を確立する。独自フレームを付与した管理フレームを送受信することで、無線通信親機１０と無線中継装置２０は、お互いに独自エレメントを送受信可能な対象として認識する。
【００４４】
無線通信親機１０の設定情報送信部１３は、独自エレメントを送受信可能な無線中継装置２０に対して、設定情報を送信する。設定情報を受信した無線中継装置２０の設定情報受信部２５は、設定情報記憶部２２の設定情報を更新し、無線通信親機１０へ更新完了情報を送信する。
【００４５】
このように無線通信親機１０および無線中継装置２０を構成することによって、無線通信親機１０は自身に帰属する無線中継装置２０へ設定情報を送信し、無線中継装置２０は自身が帰属する無線通信親機１０から設定情報を受信する。すなわち、無線通信親機１０および無線中継装置２０は、どちらがマスターとなるかの動作モードの設定をすることなく、帰属関係に応じて設定情報を送受信する。そのため、動作モードの設定を行うことなく、他の通信装置と設定を送受信することが可能となる。
【００４６】
また、接続を許可する子機あるいは／および接続を拒否する子機の識別情報である接続許否情報を設定情報に含めることで、無線中継装置２０は無線通信親機１０と同様のＭＡＣアドレスフィルタリングを行うことが可能になる。そのため、無線通信親機１０が接続を許可していない子機は無線中継装置２０に接続できなくなり、無線帯域の効率的な使用と無線通信ネットワークの安全性の向上が可能になる。
【００４７】
次に、図７および図８を用いて、本実施形態の無線通信親機１０および無線中継装置２０の動作例について説明する。図７は無線通信親機１０の、図８は無線中継装置２０の動作例である。
【００４８】
まず、無線通信親機１０は所定時間おきに独自エレメントを付与したBeacon信号を送信する（ステップＳ２０１）。無線中継装置２０は、無線通信親機１０が送信するBeacon信号を受信し（ステップＳ３０１）、無線通信親機１０へ接続を要求する（ステップＳ３０２）。無線通信親機１０では、接続要求を受信すると（ステップＳ２０２）、設定情報記憶部１２の設定情報に従って無線中継装置２０と接続するか判断し、接続を許可する場合には接続を確立する（ステップＳ２０３）。そして、無線通信親機１０に無線中継装置２０が帰属している状態になる。このとき、無線通信親機１０および無線中継装置２０は、接続シーケンスで送信する管理フレームに独自エレメントを付与する。
【００４９】
無線通信親機１０は、無線中継装置２０から受信した管理フレームに独自エレメントが付与されているとき、無線中継装置２０との間で独自エレメントを付与した管理フレームの送受信が可能であることを認識する（ステップＳ２０４）。そして、無線通信親機１０は、自身に帰属する通信装置（無線中継装置２０）へ、独自エレメントを付与した管理フレームを送信することで、設定情報を送信する（ステップＳ２０５）。
【００５０】
無線中継装置２０は、接続確立後（ステップＳ３０３）、自身が帰属する通信装置（無線通信親機１０から）設定情報を受信すると（ステップＳ３０４）、設定情報を設定情報記憶部２２に記憶させる（ステップＳ３０５）。このようにして、無線通信親機１０と無線中継装置２０は設定情報の共有が可能になる。
【００５１】
無線通信親機１０の設定情報が更新された場合には（ステップＳ２０６）、無線通信親機１０は、自身に帰属する通信装置（無線中継装置２０）へ独自エレメントを付与した管理フレームを送信することで、設定情報を送信する（ステップＳ２０７）。無線中継装置２０は、自身が帰属する通信装置（無線通信親機１０）から設定情報を受信すると（ステップＳ３０４）、設定情報を設定情報記憶部２２に記憶させる（ステップＳ３０５）。このようにして、無線通信親機１０の設定情報が更新された場合にも、無線通信親機１０と無線中継装置２０は設定情報の共有が可能になる。
【００５２】
次に、図９から図１２のシーケンス例を用いて、無線通信親機１０と無線中継装置２０の動作例について説明する。
【００５３】
図９は、無線通信親機１０と無線中継装置２０が接続し、設定情報を送信するまでのシーケンスの例である。
【００５４】
無線通信親機１０は、所定時間おきに独自エレメントを付与したBeacon信号を送信する（ステップＳ４０１）。無線中継装置２０はBeacon信号を受信すると、独自エレメントを付与したProbe Request信号を送信する（ステップＳ４０２）。無線通信親機１０は、Probe Request信号を受信すると、設定情報記憶部１２を確認し、無線中継装置２０が接続可能な装置の場合には、独自エレメントを付与したProbe Response信号（ステップＳ４０３）を送信する。そして、独自エレメントを付与したAuthentication Request信号、Authentication Response信号、Association Request信号、Association Response信号を送受信して、無線通信親機１０と無線中継装置２０との間の接続を確立する（ステップＳ４０４〜Ｓ４０７）。接続を確立すると、無線通信親機１０と無線中継装置２０はデータ送受信が可能になる（ステップＳ４０８）。
【００５５】
そして、無線通信親機１０は、自身に帰属する無線中継装置２０に対して、独自エレメントを付与した管理フレームを送信することで、設定情報を送信する（ステップＳ４０９）。無線中継装置２０では、自身が帰属する無線通信親機１０から設定情報を受信すると、設定情報記憶部２２の設定情報を更新し、無線通信親機１０へ更新完了情報を送信する（ステップＳ４１０）。
【００５６】
図１０は、独自エレメントの付与および解読に非対応の装置が独自エレメントを付与したBeacon信号を受信した場合のシーケンス例である。
【００５７】
独自エレメント非対応の装置が独自エレメントを付与したBeacon信号を受信した場合は（ステップＳ５０１）、独自エレメント非対応装置では独自エレメントを無視して、独自エレメントを付与しないProbe Request信号を送信する（ステップＳ５０２）。以降、無線通信親機１０から独自エレメント非対応装置へは独自エレメントを付与した管理フレームを送信するが、独自エレメント非対応装置から無線通信親機１０へは独自エレメントを付与しない管理フレームを送信する（ステップＳ５０３〜Ｓ５０７）。そして、無線通信親機１０と独自エレメント非対応装置は、接続を確立すると、データ送受信が可能になる（ステップＳ５０８）。また、無線通信親機１０は、独自エレメント非対応装置とは独自エレメントによる設定情報送信ができないことを認識し、設定情報の送信は行わない。
【００５８】
図１１は、無線通信親機１０の設定情報記憶部１２の設定情報が更新されたときのシーケンス例である。
【００５９】
無線通信親機１０と無線中継装置２０は、図９の動作にて、独自エレメントを付与した管理フレームの送受信が可能であることを認識している。この状態で、無線通信親機１０の設定情報記憶部１２の設定情報が更新されると、無線通信親機１０は、独自エレメントを付与した管理フレームをユニキャストで送信することで、設定情報を無線中継装置２０へ送信する（ステップＳ４１１）。このとき、無線通信親機１０は、独自エレメント非対応装置には設定情報を送信しない。そして、設定情報を受信した無線中継装置２０は、設定情報記憶部２２の設定情報を更新し、無線通信親機１０へ更新完了情報を送信する（ステップＳ４１２）。
【００６０】
無線通信親機１０は、図１２のように、マルチキャストで設定情報を送信しても良い。無線通信親機１０の設定情報記憶部１２の設定情報が更新されると（ステップＳ４１３）、無線通信親機１０は、独自エレメントを付与した管理フレームをマルチキャストで送信する（ステップＳ４１４）。そして、設定情報を受信した無線中継装置２０は、設定情報記憶部２２の設定情報を更新し、無線通信親機１０へ更新完了情報を送信する（ステップＳ４１６）。また、独自エレメント非対応装置は、独自エレメントを解読できないため、設定情報を破棄する（ステップＳ４１５）。
【００６１】
このように無線通信親機１０および無線中継装置２０を動作させることによって、無線通信親機１０は自身に帰属する無線中継装置２０へ設定情報を送信し、無線中継装置２０は自身が帰属する無線通信親機１０から設定情報を受信する。そのため、動作モードの設定を行うことなく、他の通信装置と設定を送受信することが可能となる。
【００６２】
以上で説明したように、本発明の第二の実施形態では、第一の実施形態と同様に、無線通信親機１０は自身に帰属する無線中継装置２０へ設定情報を送信し、無線中継装置２０は自身が帰属する無線通信親機１０から設定情報を受信する。すなわち、無線通信親機１０および無線中継装置２０は、どちらがマスターとなるかの動作モードの設定をすることなく、帰属関係に応じて設定情報を送受信する。そのため、動作モードの設定を行うことなく、他の通信装置と設定を送受信することが可能となる。
【００６３】
また、接続を許可する子機あるいは／および接続を拒否する子機の識別情報である接続許否情報を設定情報に含めることで、無線中継装置２０は無線通信親機１０と同様のＭＡＣアドレスフィルタリングを行うことが可能になる。そのため、無線通信親機１０が接続を許可していない子機は無線中継装置２０に接続できなくなり、無線帯域の効率的な使用と無線通信ネットワークの安全性の向上が可能になる。
【００６４】
また、本実施形態の無線通信親機は、管理フレームに独自エレメントを付与することによって、自身に帰属する通信装置へ設定情報を送信する。これにより、自身に帰属する通信装置へマルチキャストで設定情報を一斉配信することも可能になる。
【００６５】
［第三の実施形態］
次に、本発明の第三の実施の形態について説明する。本実施形態は、無線中継装置が、設定情報を受信する機能と設定情報を送信する機能の両方を持つ形態である。
【００６６】
まず、図１３に本実施形態の無線通信ネットワークの構成例を示す。無線中継装置３０は、無線通信親機１０に帰属して無線通信親機１０の電波を中継する。無線中継装置３０は、さらに、子機だけでなく、無線中継装置２０の親になることができる。無線中継装置２０Ａおよび無線中継装置２０Ｂは、無線中継装置３０に帰属する。子機４０Ａは無線中継装置２０Ａへの接続を試みる子機、子機４０Ｂは無線中継装置２０Ｂへの接続を試みる子機である。
【００６７】
本実施形態では、無線通信親機１０の設定情報を無線中継装置３０へ送信し、さらに、無線中継装置３０から無線中継装置２０Ａおよび無線中継装置２０Ｂに設定情報を送信する。これにより、設定情報に接続許否情報が含まれるとき、無線中継装置２０Ａに接続を試みる子機４０Ａおよび子機４０Ｂの接続の許否を、無線中継装置２０Ａおよび無線中継装置２０Ｂが無線通信親機１０と同様に判断することが可能になる。
【００６８】
なお、図１３では、無線中継装置３０は無線通信親機１０に帰属する構成としているが、他の無線中継装置３０に帰属する構成としても良い。また、無線中継装置２０が無線中継装置３０に帰属する構成としているが、他の無線中継装置３０や子機４０が無線中継装置３０に帰属しても良い。
【００６９】
図１４に、本実施形態の無線中継装置３０の構成例を示す。無線中継装置３０は、第一の通信部３１、設定情報記憶部３２、設定情報送信部３３、第二の通信部３４および設定情報受信部３５により構成される。
【００７０】
設定情報記憶部３２は、無線通信親機１０の設定情報記憶部１２あるいは無線中継装置２０の設定情報記憶部２２と同様に、設定情報を記憶する部分である。
【００７１】
第一の通信部３１は、無線通信親機１０の第一の通信部１１あるいは無線中継装置２０の第一の通信部２１と同様に、設定情報記憶部３２の設定情報に従って、自身に帰属する通信装置と通信を行う部分である。設定情報に接続許否情報を含む場合、接続許否情報に従って、第一の通信部３１に接続を試みる装置の接続を許可あるいは拒否する。
【００７２】
設定情報送信部３３は、無線通信親機１０の設定情報送信部１３と同様に、自身に帰属する通信装置に対して第一の通信部３１経由で設定情報記憶部３２の設定情報を送信する部分である。
【００７３】
第二の通信部３４は、無線中継装置２０の第二の通信部２４と同様に、自身が帰属する通信装置と第二の通信を行う部分である。
【００７４】
設定情報受信部３５は、無線中継装置２０の設定情報受信部２５と同様に、第二の通信部３４経由で設定情報を受信し、設定情報記憶部３２へ記憶させる部分である。
【００７５】
設定情報の送受信方法については、第二の実施形態と同様であるので、説明を省略する。
【００７６】
このように無線中継装置３０を構成することによって、無線中継装置３０は、自身に帰属する通信装置へ設定情報を送信し、自身が帰属する通信装置から設定情報を受信する。すなわち、無線中継装置３０は、どちらがマスターとなるかの動作モードの設定をすることなく、帰属関係に応じて設定情報を送受信する。そのため、動作モードの設定を行うことなく、他の通信装置と設定を送受信することが可能となる。
【００７７】
また、接続を許可する子機あるいは／および接続を拒否する子機の識別情報である接続許否情報を設定情報に含めることで、無線中継装置３０は自身が帰属する通信装置と同様のＭＡＣアドレスフィルタリングを行うことが可能になる。そのため、無線中継装置３０が帰属する通信装置が接続を許可していない子機は無線中継装置３０に接続できなくなり、無線帯域の効率的な使用と無線通信ネットワークの安全性の向上が可能になる。
【００７８】
また、本実施形態では、無線中継装置３０は、自身に帰属する通信装置へ設定情報を送信する機能と、自身が帰属する通信装置から設定情報を受信する機能の両方を持つ。これにより、無線中継装置が多段に接続する場合でも、無線中継装置３０が帰属する通信装置の設定情報を、無線中継装置３０に帰属する通信装置へ送信することが可能になる。
【００７９】
次に、無線中継装置３０の動作の例について説明する。図１３のような無線通信ネットワークの場合、無線通信親機１０は図７の動作を、無線中継装置２０Ａおよび無線中継装置２０Ｂは図８の動作を行う。また、無線中継装置３０は、自身が帰属を試みる無線通信親機１０に対しては図８の動作を、自身への帰属を試みる無線中継装置２０Ａおよび無線中継装置２０Ｂに対しては図７の動作を行う。
【００８０】
無線中継装置３０は、第二の実施形態の無線中継装置２０と同様に、独自エレメントを付与した管理フレームを無線通信親機１０と送受信し、無線通信親機１０と接続する（ステップＳ３０１〜Ｓ３０３）。そして、無線通信親機１０から設定情報を受信し、設定情報記憶部３２に記憶させる（ステップＳ３０４〜Ｓ３０５）。
【００８１】
また、無線中継装置３０は、第二の実施形態の無線通信親機１０と同様に、独自エレメントを付与したBeacon信号を所定時間おきに送信する（ステップＳ２０１）。そして、独自エレメントを付与した管理フレームの送受信が可能な無線中継装置２０と接続が確立すると（ステップＳ２０２〜Ｓ２０４）、無線中継装置２０へ設定情報を送信する（ステップＳ２０５）。
【００８２】
無線通信親機１０の設定情報が更新されたときは、無線中継装置３０は、第二の実施形態の無線中継装置２０と同様に、無線通信親機１０から設定情報を受信し（ステップＳ３０４）、設定情報記憶部３２に記憶させる（ステップＳ３０５）。
【００８３】
そして、無線中継装置３０の設定情報が更新されたため（ステップＳ２０６）、第二の実施形態の無線通信親機１０と同様に、自身に帰属する無線中継装置２０へ設定情報を送信する（ステップＳ２０７）。
【００８４】
このように無線中継装置３０を動作させることによって、無線中継装置３０は、自身に帰属する通信装置へ設定情報を送信し、自身が帰属する通信装置から設定情報を受信する。すなわち、無線中継装置３０は、どちらがマスターとなるかの動作モードの設定をすることなく、帰属関係に応じて設定情報を送受信する。そのため、動作モードの設定を行うことなく、他の通信装置と設定を送受信することが可能となる。
【００８５】
以上で説明したように、本発明の第三の実施形態では、無線中継装置３０は、自身に帰属する通信装置へ設定情報を送信し、自身が帰属する通信装置から設定情報を受信する。すなわち、無線中継装置３０は、どちらがマスターとなるかの動作モードの設定をすることなく、帰属関係に応じて設定情報を送受信する。そのため、動作モードの設定を行うことなく、他の通信装置と設定を送受信することが可能となる。
【００８６】
また、接続を許可する子機あるいは／および接続を拒否する子機の識別情報である接続許否情報を設定情報に含めることで、無線中継装置３０は自身が帰属する通信装置と同様のＭＡＣアドレスフィルタリングを行うことが可能になる。そのため、無線中継装置３０が帰属する通信装置が接続を許可していない子機は無線中継装置３０に接続できなくなり、無線帯域の効率的な使用と無線通信ネットワークの安全性の向上が可能になる。
【００８７】
また、本実施形態では、無線中継装置３０は、自身に帰属する通信装置へ設定情報を送信する機能と、自身が帰属する通信装置から設定情報を受信する機能の両方を持つ。これにより、無線中継装置が多段に接続する場合でも、無線中継装置３０が帰属する通信装置の設定情報を、無線中継装置３０に帰属する通信装置へ送信することが可能になる。
【００８８】
［第四の実施形態］
次に、本発明の第四の実施の形態について説明する。
【００８９】
図１５に本実施形態の無線通信親機１０の構成例を示す。無線通信親機１０は、第一の通信部１１、設定情報記憶部１２および設定情報送信部１３により構成される。
【００９０】
設定情報記憶部１２は、第一の通信に関する設定情報を記憶する部分である。第一の通信部１１は、自身に帰属する第一の通信装置との間で設定情報に従って第一の通信を行う部分である。設定情報送信部１３は、第一の通信装置へ設定情報を送信する部分である。
【００９１】
このように無線通信親機１０を構成することによって、無線通信親機１０は自身に帰属する第一の通信装置へ設定情報を送信する。すなわち、無線通信親機１０と第一の通信装置は、どちらがマスターとなるかの動作モードの設定をすることなく、帰属関係に応じて設定情報を送受信する。そのため、動作モードの設定を行うことなく、他の通信装置と設定を送受信することが可能となる。
【００９２】
また、接続を許可する子機あるいは／および接続を拒否する子機の識別情報である接続許否情報を設定情報に含めることで、第一の通信装置は無線通信親機１０と同様のＭＡＣアドレスフィルタリングを行うことが可能になる。そのため、無線通信親機１０が接続を許可していない子機は第一の通信装置に接続できなくなり、無線帯域の効率的な使用と無線通信ネットワークの安全性の向上が可能になる。
【００９３】
次に、図２を用いて、本実施形態の無線通信親機１０の動作の例について説明する。
【００９４】
無線通信親機１０は、自身に帰属する第一の通信装置へ設定情報を送信する（ステップＳ１０１）。
【００９５】
このように無線通信親機１０を動作させることによって、無線通信親機１０は自身に帰属する第一の通信装置へ設定情報を送信する。そのため、動作モードの設定を行うことなく、他の通信装置と設定を送受信することが可能となる。
【００９６】
以上で説明したように、本発明の第四の実施形態では、無線通信親機１０は自身に帰属する第一の通信装置へ設定情報を送信する。すなわち、無線通信親機１０および第一の通信装置は、どちらがマスターとなるかの動作モードの設定をすることなく、帰属関係に応じて設定情報を送受信する。そのため、動作モードの設定を行うことなく、他の通信装置と設定を送受信することが可能となる。
【００９７】
また、接続を許可する子機あるいは／および接続を拒否する子機の識別情報である接続許否情報を設定情報に含めることで、第一の通信装置は無線通信親機１０と同様のＭＡＣアドレスフィルタリングを行うことが可能になる。そのため、無線通信親機１０が接続を許可していない子機は第一の通信装置に接続できなくなり、無線帯域の効率的な使用と無線通信ネットワークの安全性の向上が可能になる。
【００９８】
［第五の実施形態］
次に、本発明の第五の実施の形態について説明する。
【００９９】
図１６に本実施形態の無線中継装置２０の構成例を示す。無線中継装置２０は、第一の通信部２１、設定情報記憶部２２、第二の通信部２４および設定情報受信部２５により構成される。
【０１００】
設定情報記憶部２２は、第一の通信に関する設定情報を記憶する部分である。第一の通信部２１は、自身に帰属する第一の通信装置との間で設定情報に従って第一の通信を行う部分である。第二の通信部２４は、自身が帰属する第二の通信装置との間で第二の通信を行う部分である。設定情報受信部２５は、第二の通信装置から設定情報を受信したとき、設定情報記憶部２２に設定情報を記憶させる部分である。
【０１０１】
このように無線中継装置２０を構成することによって、無線中継装置２０は自身が帰属する第二の通信装置から設定情報を受信する。すなわち、第二の通信装置および無線中継装置２０は、どちらがマスターとなるかの動作モードの設定をすることなく、帰属関係に応じて設定情報を送受信する。そのため、動作モードの設定を行うことなく、他の通信装置と設定を送受信することが可能となる。
【０１０２】
また、接続を許可する子機あるいは／および接続を拒否する子機の識別情報である接続許否情報を含む設定情報を受信することで、無線中継装置２０は第二の通信装置と同様のＭＡＣアドレスフィルタリングを行うことが可能になる。そのため、第二の通信装置が接続を許可していない子機は無線中継装置２０に接続できなくなり、無線帯域の効率的な使用と無線通信ネットワークの安全性の向上が可能になる。
【０１０３】
次に、図３を用いて本実施形態の無線中継装置２０の動作の例について説明する。
【０１０４】
無線中継装置２０は、自身が帰属する第二の通信装置から設定情報を受信したとき（ステップＳ１０２）、設定情報を設定情報記憶部２２に記憶させる（ステップＳ１０３）。
【０１０５】
このように無線中継装置２０を動作させることによって、無線中継装置２０は自身が帰属する第二の通信装置から設定情報を受信する。そのため、動作モードの設定を行うことなく、他の通信装置と設定を送受信することが可能となる。
【０１０６】
以上で説明したように、本発明の第五の実施形態では、無線中継装置２０は自身が帰属する第二の通信装置から設定情報を受信する。すなわち、第二の通信装置および無線中継装置２０は、どちらがマスターとなるかの動作モードの設定をすることなく、帰属関係に応じて設定情報を送受信する。そのため、動作モードの設定を行うことなく、他の通信装置と設定を送受信することが可能となる。
【０１０７】
また、接続を許可する子機あるいは／および接続を拒否する子機の識別情報である接続許否情報を含む設定情報を受信することで、無線中継装置２０は第二の通信装置と同様のＭＡＣアドレスフィルタリングを行うことが可能になる。そのため、第二の通信装置が接続を許可していない子機は無線中継装置２０に接続できなくなり、無線帯域の効率的な使用と無線通信ネットワークの安全性の向上が可能になる。
【０１０８】
［ハードウェア構成例］
上述した本発明の各実施形態における無線通信親機１０あるいは無線中継装置（２０、３０）を、一つの情報処理装置（コンピュータ）を用いて実現するハードウェア資源の構成例について説明する。以降、無線通信親機１０あるいは無線中継装置（２０、３０）を無線中継装置等と呼ぶ。なお、無線中継装置等は、物理的または機能的に少なくとも二つの情報処理装置を用いて実現してもよい。また、無線中継装置等は、専用の装置として実現してもよい。また、無線中継装置等の一部の機能のみを情報処理装置を用いて実現しても良い。
【０１０９】
図１７は、本発明の各実施形態の無線中継装置等を実現可能な情報処理装置のハードウェア構成例を概略的に示す図である。情報処理装置７０は、通信インタフェース７１、入出力インタフェース７２、演算装置７３、記憶装置７４および不揮発性記憶装置７５およびドライブ装置７６を備える。
【０１１０】
通信インタフェース７１は、各実施形態の無線中継装置等が、有線あるいは／および無線で外部装置と通信するための通信手段である。なお、無線中継装置等を、少なくとも二つの情報処理装置を用いて実現する場合、それらの装置の間を通信インタフェース７１経由で相互に通信可能なように接続しても良い。
【０１１１】
入出力インタフェース７２は、入力デバイスの一例であるキーボードや、出力デバイスとしてのディスプレイ等のマンマシンインタフェースである。
【０１１２】
演算装置７３は、汎用のＣＰＵ（Central Processing Unit）やマイクロプロセッサ等の演算処理装置である。演算装置７３は、たとえば、不揮発性記憶装置７５に記憶された各種プログラムを記憶装置７４に読み出し、読み出したプログラムに従って処理を実行することが可能である。
【０１１３】
記憶装置７４は、演算装置７３から参照可能な、ＲＡＭ（Random Access Memory）等のメモリ装置であり、プログラムや各種データ等を記憶する。記憶装置７４は、揮発性のメモリ装置であっても良い。
【０１１４】
不揮発性記憶装置７５は、たとえば、ＲＯＭ（Read Only Memory）、フラッシュメモリ、等の、不揮発性の記憶装置であり、各種プログラムやデータ等を記録することが可能である。
【０１１５】
ドライブ装置７６は、たとえば、後述する記録媒体７７に対するデータの読み込みや書き込みを処理する装置である。
【０１１６】
記録媒体７７は、たとえば、光ディスク、光磁気ディスク、半導体フラッシュメモリ等、データを記録可能な任意の記録媒体である。
【０１１７】
本発明の各実施形態は、たとえば、図１７に例示した情報処理装置７０により無線中継装置等を構成し、この無線中継装置等に対して、上記各実施形態において説明した機能を実現可能なプログラムを供給することにより実現してもよい。
【０１１８】
この場合、無線中継装置等に対して供給したプログラムを、演算装置７３が実行することによって、実施形態を実現することが可能である。また、無線中継装置等のすべてではなく、一部の機能を情報処理装置７０で構成することも可能である。
【０１１９】
さらに、上記プログラムを記録媒体７７に記録しておき、無線中継装置等の出荷段階、あるいは運用段階等において、適宜上記プログラムが不揮発性記憶装置７５に格納されるよう構成してもよい。なお、この場合、上記プログラムの供給方法は、出荷前の製造段階、あるいは運用段階等において、適当な治具を利用して無線中継装置等内にインストールする方法を採用してもよい。また、上記プログラムの供給方法は、インターネット等の通信回線を介して外部からダウンロードする方法等の一般的な手順を採用してもよい。
【０１２０】
なお、上述する各実施の形態は、本発明の好適な実施の形態であり、本発明の要旨を逸脱しない範囲内において種々変更実施が可能である。
【０１２１】
上記の実施形態の一部または全部は、以下の付記のようにも記載されうるが、以下には限られない。
【０１２２】
（付記１）
第一の通信に関する設定情報を記憶する設定情報記憶部と、
自身に帰属する第一の通信装置との間で前記設定情報に従って前記第一の通信を行う第一の通信部と、
前記第一の通信装置へ前記設定情報を送信する設定情報送信部と
を備えることを特徴とする無線通信親機。
【０１２３】
（付記２）
前記設定情報は、前記第一の通信を許可する通信装置の識別情報を示す接続許否情報を含む
ことを特徴とする付記１に記載の無線通信親機。
【０１２４】
（付記３）
前記設定情報送信部は、管理フレームに前記設定情報を含めて送信する
ことを特徴とする付記１あるいは付記２に記載の無線通信親機。
【０１２５】
（付記４）
第一の通信に関する設定情報を記憶する設定情報記憶部と、
自身に帰属する第一の通信装置との間で前記設定情報に従って前記第一の通信を行う第一の通信部と、
自身が帰属する第二の通信装置との間で第二の通信を行う第二の通信部と、
前記第二の通信装置から前記設定情報を受信したとき、前記設定情報記憶部に前記設定情報を記憶させる設定情報受信部と
を備えることを特徴とする無線中継装置。
【０１２６】
（付記５）
前記設定情報は、前記第一の通信を許可する通信装置の識別情報を示す接続許否情報を含む
ことを特徴とする付記４に記載の無線中継装置。
【０１２７】
（付記６）
前記設定情報受信部は、前記設定情報を受信したとき、更新完了情報を送信する
ことを特徴とする付記４あるいは付記５に記載の無線中継装置。
【０１２８】
（付記７）
前記第一の通信装置へ前記設定情報を送信する設定情報送信部
を備えることを特徴とする付記４から付記６のいずれかに記載の無線中継装置。
【０１２９】
（付記８）
前記設定情報送信部は、管理フレームに前記設定情報を含めて送信する
ことを特徴とする付記７に記載の無線中継装置。
【０１３０】
（付記９）
付記１から付記３のいずれかに記載の無線通信親機と、
前記無線通信親機に帰属する前記第一の通信装置と
を備え、
前記第一の通信装置は付記４から付記８のいずれかに記載の無線中継装置である
ことを特徴とする無線通信システム。
【０１３１】
（付記１０）
付記７あるいは付記８のいずれかに記載の無線中継装置と、
前記無線中継装置に帰属する前記第一の通信装置と、
前記無線中継装置が帰属する前記第二の通信装置と
を備え、
前記第一の通信装置は、付記４から付記８のいずれかに記載の無線中継装置であり、
前記第二の通信装置は、付記１から付記３のいずれかに記載の無線通信親機、あるいは、付記７あるいは付記８に記載の無線中継装置である
ことを特徴とする無線通信システム。
【０１３２】
（付記１１）
自身に帰属する第一の通信装置との間で、第一の通信に関する設定情報を記憶する設定情報記憶部の前記設定情報に従って前記第一の通信を行い、
前記第一の通信装置へ前記設定情報を送信する
ことを特徴とする無線通信方法。
【０１３３】
（付記１２）
前記設定情報は、前記第一の通信を許可する通信装置の識別情報を示す接続許否情報を含む
ことを特徴とする付記１１に記載の無線通信方法。
【０１３４】
（付記１３）
管理フレームに前記設定情報を含めて送信する
ことを特徴とする付記１１あるいは付記１２に記載の無線通信方法。
【０１３５】
（付記１４）
自身に帰属する第一の通信装置との間で、第一の通信に関する設定情報を記憶する設定情報記憶部の前記設定情報に従って前記第一の通信を行い、
自身が帰属する第二の通信装置との間で第二の通信を行い、
前記第二の通信装置から前記設定情報を受信したとき、前記設定情報記憶部に前記設定情報を記憶させる
ことを特徴とする無線中継方法。
【０１３６】
（付記１５）
前記設定情報は、前記第一の通信を許可する通信装置の識別情報を示す接続許否情報を含む
ことを特徴とする付記１４に記載の無線中継方法。
【０１３７】
（付記１６）
前記設定情報を受信したとき、更新完了情報を送信する
ことを特徴とする付記１４あるいは付記１５に記載の無線中継方法。
【０１３８】
（付記１７）
前記第一の通信装置へ前記設定情報を送信する
ことを特徴とする付記１４から付記１６のいずれかに記載の無線中継方法。
【０１３９】
（付記１８）
管理フレームに前記設定情報を含めて送信する
ことを特徴とする付記１７に記載の無線中継方法。
【０１４０】
（付記１９）
コンピュータに、
自身に帰属する第一の通信装置との間で、第一の通信に関する設定情報を記憶する設定情報記憶部の前記設定情報に従って前記第一の通信を行う第一の通信機能と、
前記第一の通信装置へ前記設定情報を送信する設定情報送信機能と
を実現させることを特徴とする無線通信プログラム。
【０１４１】
（付記２０）
前記設定情報は、前記第一の通信を許可する通信装置の識別情報を示す接続許否情報を含む
ことを特徴とする付記１９に記載の無線通信プログラム。
【０１４２】
（付記２１）
前記設定情報送信機能は、管理フレームに前記設定情報を含めて送信する
ことを特徴とする付記１９あるいは付記２０に記載の無線通信プログラム。
【０１４３】
（付記２２）
コンピュータに、
自身に帰属する第一の通信装置との間で、第一の通信に関する設定情報を記憶する設定情報記憶部の前記設定情報に従って前記第一の通信を行う第一の通信機能と、
自身が帰属する第二の通信装置との間で第二の通信を行う第二の通信機能と、
前記第二の通信装置から前記設定情報を受信したとき、前記設定情報記憶部に前記設定情報を記憶させる設定情報受信機能と
を実現させることを特徴とする無線中継プログラム。
【０１４４】
（付記２３）
前記設定情報は、前記第一の通信を許可する通信装置の識別情報を示す接続許否情報を含む
ことを特徴とする付記２２に記載の無線中継プログラム。
【０１４５】
（付記２４）
前記設定情報受信機能は、前記設定情報を受信したとき、更新完了情報を送信する
ことを特徴とする付記２２あるいは付記２３に記載の無線中継プログラム。
【０１４６】
（付記２５）
コンピュータに、
前記第一の通信装置へ前記設定情報を送信する設定情報送信機能
を実現させることを特徴とする付記２２から付記２４のいずれかに記載の無線中継プログラム。
【０１４７】
（付記２６）
前記設定情報送信機能は、管理フレームに前記設定情報を含めて送信する
ことを特徴とする付記２５に記載の無線中継プログラム。
【符号の説明】
【０１４８】
１０    無線通信親機
２０、３０    無線中継装置
１１、２１、３１    第一の通信部
１２、２２、３２    設定情報記憶部
１３、３３    設定情報送信部
２４、３４    第二の通信部
２５、３５    設定情報受信部
４０    子機
５０    ゲートウェイ
６０    インターネット
７０    情報処理装置
７１    通信インタフェース
７２    入出力インタフェース
７３    演算装置
７４    記憶装置
７５    不揮発性記憶装置
７６    ドライブ装置
７７    記録媒体
【図１】
2017143402.tif 000003
【図２】
2017143402.tif 000004
【図３】
2017143402.tif 000005
【図４】
2017143402.tif 000006
【図５】
2017143402.tif 000007
【図６】
2017143402.tif 000008
【図７】
2017143402.tif 000009
【図８】
2017143402.tif 000010
【図９】
2017143402.tif 000011
【図１０】
2017143402.tif 000012
【図１１】
2017143402.tif 000013
【図１２】
2017143402.tif 000014
【図１３】
2017143402.tif 000015
【図１４】
2017143402.tif 000016
【図１５】
2017143402.tif 000017
【図１６】
2017143402.tif 000018
【図１７】
2017143402.tif 000019
【図１８】
2017143402.tif 000020
【図１９】
2017143402.tif 000021